(57)【要約】【課題】予め作業環境の整った工場などで連結具を取り付けておくことが可能であるため、現場では、その連結具に斜材を取り付けるだけの簡単な作業で済むとともに、安価に実施でき、且つ、汎用性の高い建築用補剛材を提供する。【解決手段】２つの梁（２）（２）が所定の角度で接合された隅角部においてそれらの梁（２）（２）に対向状に取り付けられる連結具（３）（３）と、これら連結具（３）（３）とは別体とされた木製斜材（４）と金属製斜材（５）からなり、それら斜材（４）（５）を前記連結具（２）（２）に跨るようにして選択的に取付け可能とした。【選択図】　図１
2004068444.tif 000002
【特許請求の範囲】
【請求項１】
２つの構造材が所定の角度で接合された隅角部においてそれらの構造材に対向状に取り付けられる連結具と、これら連結具とは別体とされた木製斜材と金属製斜材とからなり、これら木製斜材と金属製斜材とが、それら連結具に跨るようにして選択的に取付け可能とされていることを特徴とする建築用構造材の補剛構造。
【請求項２】
前記連結具は、構造材の側面に固定される固定プレートと、その固定プレートから前記斜材の掛け渡し方向に延びる取付けプレートとを備え、前記取付けプレートには、木製斜材固定用のピン穴と金属製斜材固定用のボルト穴とを兼用する穴部が形成されている請求項１記載の建築用構造材の補剛構造。
【請求項３】
前記木製斜材の端部には、プレート挿入用のスリットと、そのスリットを貫通するピン挿通穴とが形成され、前記スリットに挿入した前記連結具の取付けプレートの穴部へ、前記ピン挿通穴から差し込んだピンを挿通させることで、前記連結具の取付けプレートに前記木製斜材が取り付けられる請求項２記載の建築用構造材の補剛構造。
【請求項４】
前記金属製斜材は溝形鋼からなり、そのウエブ端部にボルト挿通穴が形成され、そのボルト挿通穴と前記連結具の取付けプレートの穴部とを互いに一致させるようにして、前記ウエブと取付けプレートを重ね合わせた状態で、前記の互いに一致したボルト挿通穴及び穴部へボルトを挿入してナットで締め付けることで、前記連結具の取付けプレートに前記金属製斜材が取り付けられる請求項２又は３記載の建築用構造材の補剛構造。
【請求項５】
前記構造材は、木製の梁とされている請求項１乃至４のいずれかに記載の建築用構造材の補剛構造。
【発明の詳細な説明】
【０００１】
【発明の属する技術分野】
この発明は、互いに直交する梁等の構造材の隅角部を補強するための補剛構造に関する。
【０００２】
【従来の技術】
従来から、２つの構造材が所定の角度で接合された隅角部に、火打ち、方づえ、筋かいなどの斜材を取り付けて補強することが行われている。このような補強は、両端部に取付け穴などの連結部が設けられた斜材を、現場において、釘やボルトで構造材に固定して行われていた。例えば、図７に示すように、基礎（３０）上で互いに直交する土台（３１）（３１）の隅角部には、その両端部に釘穴（３２）（３２）…及びボルト穴（３３）（３３）が形成された金属製斜材（３４）が、それら釘穴（３２）（３２）…に差し込んだ釘（３５）（３５）…を土台（３１）（３１）に打ち込むとともに、それらボルト穴（３３）（３３）及び土台（３１）（３１）の図示しないボルト穴にボルト（３６）（３６）を挿入してナット（３７）（３７）で締め付けることによって取り付けられていた。
【０００３】
一方、例えば、特開平１１−１７２７８８号公報には、斜材と、その斜材を構造材に連結させるための連結具とを別個の部材とした補剛構造が開示されている。このような補剛構造の場合、予め工場などで連結具を構造材に取り付けておくことが可能であり、現場では、それら連結具に斜材を取り付けるだけで済む。
【０００４】
【発明が解決しようとする課題】
しかし、従来の両端部に連結部が設けられた斜材を用いる図７のような補剛構造は、足場の悪い現場において、位置決めや釘打ちなどの取付け作業などを行わなければならず、施工性が悪かった。
【０００５】
一方、斜材と連結具とを別個の部材とた補剛構造の場合、作業環境の整った工場などで連結具の取付け作業が行えるため施工性に優れている。しかし、その連結具には、木製斜材と金属製斜材とを選択的に取付けることができず、木製斜材用と金属製斜材用の２種類の連結材を用意しなければならないため、部材費用が高く、それに伴い施工費用が高騰する原因となっていた。また、汎用性にも乏しかった。
【０００６】
そこで、この発明は、上記の不具合を解消して、現場での施工が簡単であるとともに、安価に実施でき汎用性の高い建築用補剛材を提供することを目的とする。
【０００７】
【課題を解決するための手段】
上記の課題を解決するため、この発明の建築用構造材の補剛構造は、２つの構造材が所定の角度で接合された隅角部においてそれらの構造材に対向状に取り付けられる連結具と、これら連結具とは別体とされた木製斜材と金属製斜材とからなり、これら木製斜材と金属製斜材とが、それら連結具に跨るようにして選択的に取付け可能とされていることを特徴とする。
【０００８】
また、前記連結具は、構造材の側面に固定される固定プレートと、その固定プレートから前記斜材の掛け渡し方向に延びる取付けプレートとを備え、前記取付けプレートには、木製斜材固定用のピン穴と金属製斜材固定用のボルト穴とを兼用する穴部が形成されている。
【０００９】
さらに、前記木製斜材の端部には、プレート挿入用のスリットと、そのスリットを貫通するピン挿通穴とが形成され、前記スリットに挿入した前記連結具の取付けプレートの穴部へ、前記ピン挿通穴から差し込んだピンを挿通させることで、前記連結具の取付けプレートに前記木製斜材が取り付けられる。
【００１０】
その上、前記金属製斜材は溝形鋼からなり、そのウエブ端部にボルト挿通穴が形成され、そのボルト挿通穴と前記連結具の取付けプレートの穴部とを互いに一致させるようにして、前記ウエブと取付けプレートを重ね合わせた状態で、前記の互いに一致したボルト挿通穴及び穴部へボルトを挿入してナットで締め付けることで、前記連結具の取付けプレートに前記金属製斜材が取り付けられる。
【００１１】
具体的には、前記構造材は、木製の梁とされている。
【００１２】
【発明の実施の形態】
以下、この発明の実施形態を図面に基づいて詳細に説明する。この発明の一実施形態に係る建築用構造材の補剛構造は、図１又は３に示すように、例えば柱（１）を挟んで互いに直交する構造材としての木製梁（２）（２）の隅角部を補強するための補剛構造である。なお、構造材は梁に限定されるものではなく、柱、桁、トラスなどであっても良い。また、隅角部は、構造材同士が直交するものに限られない。
【００１３】
この補剛構造は、梁（２）（２）に対向状に取り付けられる一対の連結具（３）（３）と、これら連結具（３）（３）とは別体とされた木製斜材（４）と金属製斜材（５）からなる。そして、これら木製斜材（４）と金属製斜材（５）とが、それら連結具（２）（２）に跨るようにして選択的に取付け可能とされている。すなわち連結具（３）（３）は、木製斜材（４）を取り付ける場合と、金属製斜材（５）を取り付ける場合に兼用される部材である。
【００１４】
連結具（３）は、図６に示すように、例えば梁（２）の側面（６）に固定される固定プレート（７）と、斜材（４）（５）の掛け渡し方向に延びる取付けプレート（８）を備えている。固定プレート（７）と、この固定プレート（７）の水平方向の略中央位置から斜材（４）（５）の掛け渡し方向に延びる取付けプレート（８）とは、平面視約４５度の角度で交差しており、この連結具（２）は平面視略イ字形となっている。
【００１５】
固定プレート（７）は、例えば、幅約６０ｍｍ、長さ約１０５ｍｍ、厚み約４．５ｍｍの金属製プレートである。この固定プレート（７）には、取付けプレート（８）に対して鈍角をなす側の端部（９）に、直径約６ｍｍのビス穴（１０）（１０）…が、鉛直方向に並べて３個設けられている。また、取付けプレート（８）に対して鋭角をなす側の端部（１１）に、直径約６ｍｍのビス穴（１２）（１２）が、鉛直方向に並べて２個設けられている。これらビス穴（１０）（１２）は、梁（２）（２）に固定プレート（７）を固定する際に、ビス（１３）（１４）等を差し込むための穴であって、梁（２）の側面（６）に対して垂直の方向に向けて設けられている。
【００１６】
なお、固定プレート（７）の形状は上記形状に限定されない。また、ビス穴（１０）（１２）には、ビスに限らず釘などの固定具を差し込むことが可能である。さらに、ビス穴（１０）（１２）の位置や大きさ、個数などは上記に限定されるものではない。
【００１７】
取付けプレート（８）は、例えば、幅約６０ｍｍ、長さ約９６ｍｍ、厚み約３．２ｍｍの金属製プレートである。
【００１８】
この取付けプレート（８）の水平方向における中央部付近には、鉛直方向に沿って２個の貫通孔（１５）（１５）が設けられている。これら貫通孔（１５）（１５）は、図示しないドライバーの先端を差し込むための穴であり、固定プレート（７）の前記取付けプレート（８）に近い端部（１１）側に設けられたビス穴（１２）（１２）に差し込まれたビス（１４）（１４）を、梁（２）の側面（６）にねじ込む際に用いられる。貫通孔（１５）（１５）は、各ビス穴（１２）（１２）に対応した位置に設けられており、且つ、それらビス穴（１２）（１２）と同じ方向に向けて、すなわち梁（２）の側面（６）に対して垂直の方向に向けて設けられている。
【００１９】
また、取付けプレート（８）の端部側には、その鉛直方向略中央の位置に、水平方向に沿って、直径約１２ｍｍの穴部（１６）（１６）が２個設けられている。これら穴部（１６）（１６）は、固定プレート（７）に連結される木製斜材（４）固定用のピン穴として、或いは、金属製斜材（５）固定用のボルト穴として兼用される。また、これら穴部（１６）（１６）は、斜材（４）（５）の側面（１７）（１８）に対して垂直な方向に向けて設けられている。
【００２０】
なお、取付けプレート（８）の形状は上記形状に限定されない。また、穴部（１６）（１６）の位置や大きさ、個数などは上記に限定されるものではない。
【００２１】
連結具（３）（３）は、望ましくは、予め工場などにおいて梁（２）（２）の側面（６）（６）に取り付けられる。各連結具（３）（３）は、固定プレート（７）（７）が水平となるようにして、且つ、斜材（４）（５）の掛け渡し方向に延びる取付けプレート（８）（８）の端面（１９）（１９）同士が、互いに対面するようにして位置決めされる。そして、固定プレート（７）（７）のビス穴（１０）（１２）に差し込まれたビス（１３）（１４）を、梁（２）（２）の側面（６）（６）にねじ込むようにして、その梁（２）（２）に固定プレート（７）（７）が固定される。
【００２２】
木製斜材（４）は、図１及び２に示すように、例えば両端部が斜めに約４５度にカットされた角材であって、梁（２）（２）の側面（６）（６）間に、それら梁（２）（２）と夫々約４５度の角度で交差するようにして掛け渡される。
【００２３】
この木製斜材（４）の両端面（２０）には、夫々スリット（２１）（２１）が形成されている。これらスリット（２１）（２１）は、取付けプレート（８）（８）を差し込むためのもので、木製斜材（４）の上面及び下面に向けて開放している。また、このスリット（２１）（２１）の幅は、取付けプレート（８）（８）の厚みよりもやや幅広とされている。
【００２４】
また、木製斜材（４）の側面（１７）の両端部付近には、鉛直方向の略中央位置に水平方向に沿って、ピン挿通穴（２２）（２２）…が夫々２箇設けられている。これらピン挿通穴（２２）（２２）…は、夫々スリット（２１）（２１）を貫通している。
【００２５】
なお、木製斜材（４）の形状や、スリット（２１）（２１）及びピン挿通穴（２２）（２２）…の形状、位置、個数などは上記に限られない。
【００２６】
木製斜材（４）は、現場において、その木製斜材（４）のスリット（２１）（２１）に連結具（３）（３）の取付けプレート（８）（８）を差し込むようにして、梁（２）（２）の側面（６）（６）間に掛け渡される。そして、取付けプレート（８）（８）の穴部（１６）（１６）…と木製斜材（４）のピン挿通穴（２２）（２２）…とを重ね合わせた状態で、その穴部（１６）（１６）…へピン挿通穴（２２）（２２）…から差し込んだピン（２３）（２３）…を打ち込むなどして挿通させて、その取付けプレート（８）（８）に木製斜材（４）（４）が取り付けられる。
【００２７】
金属製斜材（５）は、図３乃至５に示すように、例えば両端部が斜めに約４５度にカットされた溝形鋼からなる。この金属製斜材（５）のウエブ（２４）の水平方向両端部付近には、ボルト挿通穴（２５）（２５）が形成されている。また、ウエブ（２４）の内側面（２６）には、そのボルト挿通穴（２５）（２５）の位置に合わせてナット（２７）（２７）が溶接されている。
【００２８】
なお、金属製斜材（５）の形状や、ボルト挿通穴（２５）（２５）の形状、位置、個数などは上記に限られない。また、ナット（２７）（２７）は、必ずしもウエブ（２４）に溶接されている必要はない。
【００２９】
この金属製斜材（５）は、現場において、ボルト挿通穴（２５）（２５）と取付けプレートの一方の穴部（１６）（１６）とを互いに一致させるようにして、ウエブ（２）と取付けプレート（８）とを重ね合わせた状態で掛け渡される。そして、互いに一致したボルト挿通穴（２５）（２５）及び穴部（１６）（１６）へボルト（２８）（２８）を挿入して、さらにナット（２７）（２７）にねじ込んで締め付けることによって、連結具（３）（３）の取付けプレート（８）（８）に金属製斜材（５）が取り付けられる。
【００３０】
この発明は、上記実施形態に限定されるものではなく、この発明の範囲内で上記実施形態に多くの修正及び変更を加え得ることは勿論である。
【００３１】
【発明の効果】
以上の説明から明らかなように、この発明の建築用構造材の補剛構造は、連結具と斜材とが別体とされており、また、木製斜材と金属製斜材が、それら連結具に跨るようにして選択的に取付け可能とされている。したがって、連結具を予め作業環境の整った工場などで取り付けておくことができ、現場ではその連結具に斜材を取り付けるだけで済むため、精度が高く迅速な施工が可能である。また、連結具は、木製斜材用と金属製斜材用の兼用品であるため汎用性が高く、部材点数が減る分安価に実施可能である。さらに、木製の梁に取り付けてあらわし内装とする場合には、そのあらわし内装の仕様を広げることができる。
【００３２】
また、取付けプレートが斜材の掛け渡し方向に延びているため、その取付けプレートが斜材と一体化して外側から目立たず、デザイン性に優れているとともに、その取付けプレートと斜材との接触面積を広く取ることができて、斜材の取付け強度が高い。さらに、取付けプレートは、木製斜材固定用のピン穴と金属製斜材固定用のボルト穴とを兼用する穴部が形成されたものであるため、加工工程が少なく低コストで製造することができる。
【００３３】
さらに、木製斜材は、スリットに挿入した前記連結具の取付けプレートの穴部へ、ピン挿通穴から差し込んだピンを挿通させて取り付けるものであり、また、金属製斜材は、ボルト挿通穴及び穴部へボルトを挿入してナットで締め付けて取り付けるものであるため、現場での取付け作業が簡単である。
【図面の簡単な説明】
【図１】この発明の実施形態に係る斜材が木製である場合の建築用構造材の補剛構造を示す図である。
【図２】梁と木製斜材との連結構造を示す水平断面図である。
【図３】斜材が金属製である場合の建築用構造材の補剛構造を示す図である。
【図４】梁と金属製斜材との連結構造を示す水平断面図である。
【図５】連結具との取付けプレートと金属製斜材との取付け構造を示す縦断面図である。
【図６】連結具を示す図である。
【図７】従来の建築用構造材の補剛構造を示す図である。
【符号の説明】
（２）　構造材
（３）　連結具
（４）　木製斜材
（５）　金属製斜材
（６）　側面
（７）　固定プレート
（８）　取付けプレート
（１６）　穴部
（２１）　スリット
（２２）　ピン挿通穴
（２３）　ピン
（２４）　ウエブ
（２５）　ボルト挿通穴
（２７）　ナット
（２８）　ボルト
【図１】
2004068444.tif 000003
【図２】
2004068444.tif 000004
【図３】
2004068444.tif 000005
【図４】
2004068444.tif 000006
【図５】
2004068444.tif 000007
【図６】
2004068444.tif 000008
【図７】
2004068444.tif 000009